(57)【要約】      （修正有）【課題】太陽電池パネル等の寸法サイズに応じて容易に調整して支持させることができる外設部材の取付構造、及び外設部材の取付方法を提供する。【解決手段】一方の側方が解放する側方調整溝と側方調整溝の上方に位置して上方が解放する上方調整溝とを長手方向に備える支持部材２を、既設屋根の上にピース材である持出部材３を設置した取付対象面に固定する。支持部材２の各調整溝内に、各棒状材２ａ，２ｂの頭部が嵌合保持され、長手方向に摺動可能であり、側方調整溝の所望位置に第１棒状材２ａを調整し、第１棒状材２ａの先端に取付対象面の持出部材３を連絡させ、第１棒状材２ａの頭部を側方調整溝の所望位置に係止させ、上方調整溝の所望位置に第２棒状材２ｂを調整し、第２棒状材２ｂの先端に横支持材５を取り付け、第２棒状材２ｂの頭部を上方調整溝の所定位置に係止させ、持出部材３にＬ字状の連結材４を介して支持部材２を固定する。【選択図】図１
2014088763.tif 000002
【特許請求の範囲】
【請求項１】
一方の側方が解放する側方調整溝と該側方調整溝の上方に位置して上方が解放する上方調整溝とを長手方向に備える支持部材を、既設屋根の上にピース材である持出部材を設置した取付対象面に固定すると共に外設部材を取り付けた外設部材の取付構造であって、
前記支持部材の各調整溝内には、それぞれ棒状材の頭部が嵌合保持されることにより、各棒状材は長手方向に摺動可能であり、
前記側方調整溝の所望位置に第１棒状材を調整し、該第１棒状材の先端に取付対象面の持出部材を連絡させた状態で第１締着具にて締め付けることにより、第１棒状材の頭部を側方調整溝の所望位置に係止させ、前記上方調整溝の所望位置に第２棒状材を調整し、該第２棒状材の先端に外設部材を取り付けるための取付具を取り付けた状態で第２締着具にて締め付けることにより、第２棒状材の頭部を上方調整溝の所定位置に係止させ、前記持出部材にＬ字状の連結材を介して前記支持部材を固定することを特徴とする外設部材の取付構造。
【請求項２】
支持部材の側方調整溝内には、複数の第１棒状材の頭部が嵌合保持され、取付対象面の複数の持出部材に架け渡して支持部材が固定されていることを特徴とする請求項１に記載の外設部材の取付構造。
【請求項３】
支持部材は、連結材を介して下地に固定した持出部材に固定され、前記連結材は、側方調整溝に保持させた第１棒状材が挿通する孔が設けられる縦片と、下地に固定した持出部材の上端が挿通する孔が設けられる横片とを備えることを特徴とする請求項１又は２に記載の外設部材の取付構造。
【請求項４】
支持部材の上方調整溝内には、複数の第２棒状材の頭部が嵌合保持され、複数の取付具が取り付けられていることを特徴とする請求項１〜３の何れか一項に記載の外設部材の取付構造。
【請求項５】
既設屋根の上にピース材である持出部材を設置した取付施工面に、一方の側方が解放する側方調整溝と該側方調整溝の上方に位置して上方が解放する上方調整溝とを長手方向に備える支持部材を固定すると共に外設部材を取り付ける方法であって、
前記支持部材の各調整溝には、予め前記各棒状材の頭部が嵌合保持されることにより、各棒状材は長手方向に摺動可能であり、
前記側方調整溝の所望位置に第１棒状材を調整する第１の工程と、
位置を調整した第１棒状材に取付対象面の持出部材を連絡させた状態で第１締着具にて締め付けることにより、第１棒状部材の頭部を側方調整溝の所望位置に係止させ第２の工程と、
前記上方調整溝の所望位置に第２棒状材を調整する第３の工程と、
位置を調整した第２棒状材に外設部材を取り付けるための取付具を取り付けた状態で第２締着具にて締め付けることにより、第２棒状材の頭部を上方調整溝の所定位置に係止させ、前記持出部材にＬ字状の連結材を介して前記支持部材を固定する第４の工程と、
、からなることを特徴とする外設部材の取付方法。
【発明の詳細な説明】
【技術分野】
【０００１】
本発明は、太陽電池パネル等の寸法サイズに応じて容易に調整して支持させることができる外設部材の取付構造、及び取付方法に関する。
【背景技術】
【０００２】
近年、社会的情勢及び政治的情勢が相俟って太陽エネルギー変換モジュールへの期待はますます高まっており、既設の構造物や建築物の屋根面への太陽電池パネルの取り付け要請もまた高まっている。
他方、二酸化炭素を減少させるために、屋根面を緑化して温度低下や光合成を行わせる試みも盛んに行われている。
【０００３】
新設や既設の屋根の上に太陽電池パネルを取り付ける場合には、大別して屋根材自体に太陽電池パネルを一体的に組み込む方法と、屋根面に支持架台などの取付部材を固定してその上に太陽電池パネルを取り付ける方法とが知られている。
前記屋根材自体に太陽電池パネルを一体的に組み込む方法は、屋根材を製造する技術と太陽電池パネルを製造する技術とが必要であり、様々な仕様の建物（屋根）に適用することは到底困難であった。
【０００４】
一方、屋根面に取付部材を介して太陽電池パネルを取り付ける方法としては、鋼材を桁状に組み合わせて支持架台（取付部材）とするため、使用する太陽電池パネルのサイズに応じて異なる支持架台を用いる必要があった。
【発明の開示】
【発明が解決しようとする課題】
【０００５】
しかしながら、新設や既設にかかわらず、屋根面を構築する屋根材のサイズも、前記太陽電池パネルのサイズと同様に多種に及んでいるため、その施工に際し、選定した太陽電池パネルに応じて取付部材を用いても、特定に既設屋根に対して太陽電池パネルを施工できないという不具合を生ずることもあった。例えば既設屋根の垂木等の配設間隔と、太陽電池パネルの寸法が合わないことが多かった。
【０００６】
そこで、本発明は、太陽電池システム等の外設部材の寸法サイズに応じて容易に調整して支持させることができる外設部材の取付構造、及び取付方法を提案することを目的とする。
【課題を解決するための手段】
【０００７】
本発明は、上記に鑑み提案されたものであって、一方の側方が解放する側方調整溝と該側方調整溝の上方に位置して上方が解放する上方調整溝とを長手方向に備える支持部材を、取付対象面に固定すると共に外設部材を取り付けた外設部材の取付構造であって、前記支持部材の各調整溝内には、それぞれ棒状材の頭部が嵌合保持されることにより、各棒状材は長手方向に摺動可能であり、前記側方調整溝の所望位置に第１棒状材を調整し、該第１棒状材の先端に取付対象面の持出部材を連絡させた状態で第１締着具にて締め付けることにより、第１棒状材の頭部を側方調整溝の所望位置に係止させ、前記上方調整溝の所望位置に第２棒状材を調整し、該第２棒状材の先端に外設部材を取り付けるための取付具を取り付けた状態で第２締着具にて締め付けることにより、第２棒状材の頭部を上方調整溝の所定位置に係止させ、前記持出部材にＬ字状の連結材を介して前記支持部材を固定することを特徴とする外設部材の取付構造に関するものである。
【０００８】
また、本発明は、前記外設部材の取付構造において、支持部材の側方調整溝内には、複数の第１棒状材の頭部が嵌合保持され、取付対象面の複数の持出部材に架け渡して支持部材が固定されていることを特徴とする外設部材の取付構造も提案する。
【０００９】
また、本発明は、前記外設部材の取付構造において、支持部材の上方調整溝には、複数の第２棒状材の頭部が嵌合保持され、複数の取付具が取り付けられていることを特徴とする外設部材の取付構造をも提案する。
【００１０】
また、本発明は、前記外設部材の取付構造において、支持部材は、流れ方向に配設する縦桟であり、取付具は、横支持材を兼ねる横桟であることを特徴とする外設部材の取付構造をも提案する。
【００１１】
さらに、本発明は、既設屋根の上にピース材である持出部材を設置した取付施工面に、一方の側方が解放する側方調整溝と該側方調整溝の上方に位置して上方が解放する上方調整溝とを長手方向に備える支持部材を固定すると共に外設部材を取り付ける方法であって、前記支持部材の各調整溝には、予め前記各棒状材の頭部が嵌合保持されることにより、各棒状材は長手方向に摺動可能であり、前記側方調整溝の所望位置に第１棒状材を調整する第１の工程と、位置を調整した第１棒状材に取付対象面の持出部材を連絡させた状態で第１締着具にて締め付けることにより、第１棒状部材の頭部を側方調整溝の所望位置に係止させる第２の工程と、前記上方調整溝の所望位置に第２棒状材を調整する第３の工程と、位置を調整した第２棒状材に外設部材を取り付けるための取付具を取り付けた状態で第２締着具にて締め付けることにより、第２棒状材の頭部を上方調整溝の所定位置に係止させ、前記持出部材にＬ字状の連結材を介して前記支持部材を固定する第４の工程と、からなることを特徴とする外設部材の取付方法をも提案する。
【発明の効果】
【００１２】
本発明の外設部材の取付構造は、長手方向に複数の調整溝を備える支持部材を用いる方法であって、取付対象面の所望の位置に配設することができ、さらには所望の位置に外設部材の取付具を取り付けることができ、各種の外設部材を容易に且つ安定に支持して取り付けることができる。
したがって、例えば様々な取付対象面に対して各種の寸法サイズ（モジュールサイズ）を有する太陽電池パネル等に応じて容易に調整して支持させることができる。
また、本発明では、側方調整溝に第１棒状材を配置して取付対象面を連絡させて第１締着具にて締め付けるので、取付対象面として持出部材を配設する場合には、持出部材の下地への取付に仮に誤差があっても吸収することができ、取付誤差に影響を受けずに支持部材を取り付けることができる。
【００１３】
また、支持部材の側方調整溝内に、複数の第１棒状材の頭部が嵌合保持され、取付対象面の複数の持出部材に架け渡して支持部材が固定されている場合には、支持部材を安定に配設することができる。
【００１４】
また、支持部材の上方調整溝内に、複数の第２棒状材の頭部が嵌合保持され、複数の取付具が取り付けられている場合、例えば外設部材として太陽電池パネルを用いる際にその寸法サイズに応じて所望の位置に取付具を配設することができる。
【００１５】
また、支持部材は、流れ方向に配設する縦桟であり、取付具は、横支持材を兼ねる横桟である場合、横長に形成される太陽電池パネル等の寸法に容易に対応させて安定に支持させることができる。
【００１６】
さらに、本発明の外設部材の取付方法は、第１〜第４の工程の何れも容易に実施できるものであって、各種の外設部材に応じて支持部材及び取付具を容易に且つ安定に支持して取り付けることができる。
【図面の簡単な説明】
【００１７】
【図１】（ａ）本発明を既設屋根に適用した一実施例（第１実施例）の要部を拡大して示す側断面図、（ｂ）その正断面図である。
【図２】（ａ）第１実施例を構成する太陽電池パネル、（ｂ）横支持材、（ｃ）固定金具、（ｄ）吊子、（ｅ）支持部材、（ｆ）持出金具、（ｇ）受金具をさらに拡大して示す斜視図、（ｈ）支持部材の２つの調整溝を示す拡大断面図である。
【図３】第１実施例における太陽電池パネルの取付構造を示す拡大斜視図である。
【図４】第１実施例における一部構成を意図的に取り外して示した斜視図である。
【図５】（ａ）本発明を既設屋根に適用した他の一実施例（第２実施例）の要部を拡大して示す側断面図、（ｂ）その正断面図である。
【発明を実施するための形態】
【００１８】
本発明の外設部材の取付構造は、一方の側方が解放する側方調整溝と該側方調整溝の上方に位置して上方が解放する上方調整溝とを長手方向に備える支持部材を用いる構成であって、各調整溝内には、それぞれ棒状材の頭部が嵌合保持されることにより、各棒状材は長手方向に摺動可能である。
そして、側方調整溝は、支持部材自体を取付対象面の所望の位置に配設するための構成であり、上方調整溝は、外設部材を取り付けるための取付具を所望の位置に固定するための構成である。
【００１９】
前記支持部材は、前述のように長手方向に２本の調整溝を有する構成であって、後述する図示実施例のように流れ方向に沿って配するものに限定されるものではなく、どのように配設してもよいが、図示実施例では、支持部材が縦桟となり、該支持部材に固定される取付具が横支持材を兼ねる横桟である場合には、太陽電池パネルの寸法サイズに容易に対応させて安定に支持させることができる。
【００２０】
なお、前述のように本発明に用いる支持部材は、側方が解放する側方調整溝と上方が解放する上方調整溝とを長手方向に備える構成としたが、さらに予め上下左右のうち何れか三方向、又は四方向にそれぞれ調整溝を形成しておき、取り付ける外設部材の構成及び固定する取付対象面の構成に応じて適宜に使用する調整溝を選択するようにしてもよい。
【００２１】
前記側方調整溝内には、第１棒状材の頭部が嵌合保持され、この第１棒状材は長手方向に摺動可能であるため、前記側方調整溝の所望位置に第１棒状材を調整し、該第１棒状材の先端に取付対象面を連絡させた状態で第１締着具にて締め付けることにより、第１棒状材の頭部を側方調整溝の所望位置に係止させることができる。
前述のようにこの側方調整溝は、支持部材自体を取付対象面の所望の位置に配設するための構成であり、取付対象面としては、各種の下地や既設屋根、或いはその表面に取り付けた持出部材（金具）などから適宜に選択することができる。また、後述する図示実施例のように持出部材にＬ字状の連結材を介して取り付けるようにしてもよい。
【００２２】
前記上方調整溝内には、第２棒状材の頭部が嵌合保持され、この第２棒状材は長手方向に摺動可能であるため、前記上方調整溝の所望位置に第２棒状材を調整し、該第２棒状材の先端に外設部材を取り付けるための取付具を取り付けた状態で第２締着具にて締め付けることにより、第２棒状材の頭部を上方調整溝の所定位置に係止させることができる。
前述のようにこの上方調整溝は、外設部材を取り付けるための取付具を所望の位置に固定するための構成であり、取付具としては、外設部材の種類や構成に応じて適宜に選択することができる。
【００２３】
前記第１棒状材及び第２棒状材としては、それぞれの調整溝に嵌合保持される頭部を備え、それぞれの締着具を螺合できる先端を備えるものであれば、その具体的な構成を特定するものではなく、例えば後述する図示実施例のようにボルトを用いてもよく、締着具としてはナットを用いてもよい。
なお、各棒状材の頭部が各調整溝に嵌合保持される構成とは、例えば摺動時などに調整溝から頭部が脱落することなく保持されていることを意味しており、さらには締め付け時に回転しないことが望ましい。このような構成としては、例えば棒状材が六角ボルトや四角ボルトである場合、調整溝の横幅が、頭部の対向角を結ぶ長さより小さく、且つ対向辺間の距離よりも大きく形成されていればよい。また、調整溝から、頭部が脱落しない構成としては、棒状材の頭部を陥入可能な溝部分に対し、その開放部分は棒状材の頭部より小さく棒状材の脚部分の太さより大きく形成していればよい。
【００２４】
前記側方調整溝内に、複数の第１棒状材の頭部が嵌合保持され、それぞれの第１棒状材が長手方向に摺動可能とした場合には、取付対象面の複数の取付箇所に調整して取り付けることができ、支持部材を安定に架け渡して固定することができる。
【００２５】
前記上方調整溝内に、複数の第２棒状材の頭部が嵌合保持され、それぞれ第２棒状材が長手方向に摺動可能とした場合には、複数の取付具を適宜間隔にて調整して取り付けることができ、例えば外設部材として太陽電池パネルを用いる際にその寸法サイズに応じて所望の位置に取付具を配設することができる。
【００２６】
なお、本発明において、支持部材を取り付ける取付対象面としては、前述のように各種の下地や既設屋根、或いはその表面に取り付けた持出部材（金具）などから適宜に選択することができが、既設屋根の場合には、後述する図示実施例に示すように、少なくとも持出部材を取り付ける外装材の表面を金属材にて覆うことが望ましい。
この場合、金属材により強度の向上が図れ、外装材の割れが生じにくく、また仮に外装材に割れが生じても漏水を生じないので防水効果が著しく高いものとなる。
【００２７】
また、本発明の外設部材の取付方法は、以下の手順にて実施される。
第１の工程として、前記側方調整溝の所望位置に第１棒状材を摺動させて調整する。
前述のように第１棒状材の頭部は側方調整溝に嵌合保持され、摺動時などに頭部が脱落することなく保持されているので、長手方向に適宜に摺動させて所望位置に調整して配置させればよい。
第２の工程として、位置を調整した第１棒状材に取付対象面を連絡させた状態で第１締着具にて締め付ける。
これにより、第１棒状部材の頭部が側方調整溝の所望位置に係止される。
第３の工程として、前記上方調整溝の所望位置に第２棒状材を調整する。
前述のように第２棒状材の頭部は上方調整溝に嵌合保持され、摺動時などに頭部が脱落することなく保持されているので、長手方向に適宜に摺動させて所望位置に調整して配置させればよい。
第４の工程として、位置を調整した第２棒状材に外設部材を取り付けるための取付具を取り付けた状態で第２締着具にて締め付ける。
これにより、第２棒状材の頭部が上方調整溝の所定位置に係止される。
【００２８】
前記支持部材に支持される外設部材としては、太陽電池システムを後述する図示実施例にて説明するが、それに限定するものではなく、取付施工面に適用される外設部材であれば、例えば緑化構造でも、雪止め金具でもよいし、避雷針、アンテナなどでもよい。
この外設部材の配設位置は、前述のように前記支持部材を任意の位置に取り付けることができるので、取付施工面の任意の位置に取り付けることができる。
【実施例】
【００２９】
図１〜図４に示す本発明の第１実施例の外設部材（太陽電池パネル）１の取付構造は、側方が解放する側方調整溝２１と上方が解放する上方調整溝２２とを長手方向に備える支持部材２を用いる構成であり、各調整溝２１，２２内には、それぞれ棒状材２ａ，２ｂの頭部が嵌合保持されることにより、各棒状材２ａ，２ｂは長手方向に摺動可能である。
【００３０】
図示実施例の前記支持部材２は、流れ方向に沿って配される縦桟であって、一方の側面には、側方が解放する側方調整溝２１が形成され、上面には、上方が解放する上方調整溝２２が形成される構成である。
各調整溝２１，２２の横幅は、図２（ｈ）に示すように各棒状材２ａ，２ｂの頭部の頂面の対向角を結ぶ長さより小さく、且つ対向辺間の距離よりも大きく形成されているので、各棒状材２ａ，２ｂの頭部が各調整溝２１，２２内に嵌合保持され、しかも締め付け時に回転することなく保持されている。
また、調整溝２１，２２から、棒状材２ａ，２ｂの頭部を陥入可能な溝幅に対し、その開放幅は棒状材２ａ，２ｂの頭部より小さく、棒状材２ａ，２ｂの脚部分の太さより大きく形成されているので、例えば摺動時などに頭部が脱落することがない。
【００３１】
前記第１棒状材２ａ及び第２棒状材２ｂとしては、それぞれの調整溝２１，２２に嵌合保持される頭部を備え、それぞれの締着具２ｃ，２ｄを螺合できる先端を備えるものであり、図示実施例では、前記棒状材２ａ，２ｂは六角ボルトであり、該棒状材２ａ，２ｂの脚部分には締め付けナットである締着具２ｃ，２ｄを螺着した。
【００３２】
前記外設部材１としての太陽電池パネルは、太陽電池１１の周縁にフレーム１２Ａ〜１２Ｄを配したものであり、各フレーム１２Ａ〜１２Ｄは、太陽電池１１の端縁を保持する略コ字状の保持部を備え、この保持部から下方へ延在する中空の被支持部を備える簡易な構成である。
上記太陽電池パネル１の周縁のうち、水上側及び水下側の端縁（フレーム１２Ａ，１２Ｂ）は、前記支持部材２に支持される。
【００３３】
図示実施例では、図１及び図４に示す既設屋根の上に、図２（ｆ）に示す持出部材３を設置し、該持出部材３に図２（ｇ）に示すＬ字状の連結材４を介して前記構成の支持部材２が固定され、この支持部材２には、取付具として図２（ｂ）に示す横支持材５が任意の位置に固定され、該横支持材５に図２（ａ）に示す太陽電池パネル１を支持させた構成である。なお、図２（ｃ）に示す固定金具５ａは、図３に示すように上方から横支持材５の端縁を保持して支持部材２に固定する部材であり、図２（ｄ）に示す押さえ部材８は、図３に示すように上方から流れ方向に隣接する太陽電池パネル１，１の上端を押さえる部材である。
また、前記持出部材３が設置された既設屋根は、Ｃ形鋼からなる躯体６Ａの上に、木毛セメント板等の下地材６Ｂ、防水シート６Ｃが敷設されて下地を構成し、該下地の上に断熱材６Ｄ及び金属垂木６Ｅ（固定具６ｆ）が取り付けられ、その上に外装材７として、横葺き屋根材が施工されている。
【００３４】
前記持出部材３は、既設屋根上に沿わせる横片状の固定部３１と、上方へ向く取付ボルトを保持する保持部３２とを備えるピース材であり、前記保持部３２に保持された取付ボルト３ａにはＬ字状の連結材４の横片４１が取り付けられ、ナット３ｃにて締め付けられて固定されている。なお、固定部３１にはビス３ｂを取り付ける孔３１１が２カ所設けられている。
連結材４は、断面Ｌ字状のピース材であって、その横片４１にも縦片４２にも通孔（４１１，４２１）が形成され、縦片４２の通孔４２１に前記支持部材２の側方調整溝２１に保持される第１棒状材２ａが挿通し、第１締着具２ｃを締め付けて固定されている。
【００３５】
前記横支持材５は、前記支持部材２に固定される取付具に相当する部材であって、太陽電池パネル１の桁行き方向に沿う端縁を支持する横桟であって、桁行き方向に沿って配される定尺材である。
この横支持材５は、略箱状の土台部分の略中央に形成された塔状部５１の両側に、太陽電池パネル１を支持する支持部５２，５２を備え、前記塔状部５１には、上方が解放する溝部５１１が形成され、該溝部５１１に上向きボルトである接続ボルト９の頭部が保持され、押さえ部材８を配設してナット９ｂにて締め付けることにより、押さえ部材８が取り付けられると共に接続ボルト９の頭部が溝部５１１に強固に係止される。
また、その側端には、上向きの係止片５３，５３が設けられ、該係止片５３，５３に、上方から固定金具５ａ，５ａを取り付け、該固定金具５ａに設けた通孔５４に前記支持部材２の上方調整溝２２に保持される第２棒状材２ｂが挿通し、第２締着具２ｄを締め付けて固定されている。
【００３６】
既設屋根への本発明の外設部材１の取付方法を以下に示す。
まず、既設屋根の上に、前記持出部材３を沿わせ、ビス３ｂにて固定する。その際、固定部３１の他端を、既設屋根の外装材７，７の重合部に挿入する状態で固定する。
固定した持出部材３の保持部３２に取付ボルト３ａを保持させ、この取付ボルト３２をＬ字状の連結材４の横片４１の通孔４１１に挿通させ、ナット３ｃを取り付けて締め付ける。これによって、連結材４が持出部材３に取り付けられると共に、取付ボルト３ａが保持部３２に強固に係止される。
なお、持出部材３には、予め保持部３２に取付ボルト３ａを保持させておいてもよく、さらにＬ字状の連結材４を予め固定しておいてもよい。
【００３７】
次に、第１の工程として、前記支持部材２の側方調整溝２１に予め保持させた第１棒状材２ａを所望の位置に摺動させて調整する。なお、複数の第１棒状材２ａを使用する場合には、必要個数の第１棒状材２ａを嵌合保持させておく。
【００３８】
続いて第２の工程として、前述のように固定したＬ字状の連結材４の縦片４２の通孔４２１に、前記第１の工程にて位置を調整した第１棒状材２ａを挿通させ、第１締着具２ｃを取り付けて締め付ける。
これによって、連結材４に支持部材２が取り付けられると共に、第１棒状材２ａの頭部が側方調整溝２１の所定位置に強固に係止される。
【００３９】
次に、第３の工程として、前記支持部材２の上方調整溝２２に予め保持させた第２棒状材２ｂを所望の位置に摺動させて調整する。なお、複数の第２棒状材２ｂを使用する場合には、必要個数の第２棒状材２ｂを嵌合保持させておく。
この例では、取付具として横支持材５を用いたので、太陽電池パネル１の流れ方向の寸法が横支持材５の配設間隔と略等しくなるように配設されるので、それに応じて複数の第２棒状材２ｂ，２ｂの配設間隔も太陽電池パネル１の流れ方向の寸法と略等しく配設される。
【００４０】
続いて第４の工程として、横支持材５を固定するための固定金具５ａの通孔５４に、前記第３の工程にて位置を調整した第２棒状材２ｂを挿通させ、第２締着具２ｄを取り付けて締め付ける。
これにより、支持部材２に横支持材５が固定されると共に、第２棒状材２ｂの頭部が上方調整溝２２の所定位置に強固に係止される。
なお、図４における１Ｘは雨押さえ、１Ｙは補強材である。
【００４１】
このように施工される本発明の外設部材１の取付構造は、支持部材２を取付対象面の所望の位置に配設することができ、さらには所望の位置に外設部材１の取付具（この例では横支持材５）を取り付けることができ、各種の外設部材１を容易に且つ安定に支持して取り付けることができる。
したがって、例えば様々な取付対象面に対して各種の寸法サイズを有する太陽電池パネル１に応じて容易に調整して支持させることができる。
また、本発明では、持出部材３の既設屋根への取付に仮に誤差があっても吸収することができ、この取付誤差に影響を受けずに支持部材２を取り付けることができる。そして、持出金具３を軒棟方向に等間隔で固定しなくても容易に支持部材２を取り付けることができ、強度を補うために持出金具３の数を増やしても対応できる。
【００４２】
また、図示実施例（図４）では支持部材２の側方調整溝２１内に、複数の第１棒状材２ａの頭部が嵌合保持され、取付対象面の複数の取付箇所に架け渡して支持部材２を固定したので、支持部材２を安定に配設することができる。
【００４３】
また、図示実施例では支持部材２の上方調整溝２２内に、複数の第２棒状材２ｂの頭部が嵌合保持され、複数の横支持材５を取り付けたので、外設部材として太陽電池パネル１を用いる際にその寸法サイズに応じて所望の位置に横支持材５を配設することができる。
【００４４】
また、図示実施例では支持部材２は、流れ方向に配設する縦桟であり、取付具は、横支持材５を兼ねる横桟であるので、横長に形成される太陽電池パネル１の寸法に容易に対応させて安定に支持させることができる。
【００４５】
さらに、本発明の外設部材１の取付方法は、前記第１〜第４の工程の何れも容易に実施できるものであって、各種の外設部材１に応じて支持部材２及び横支持材５を容易に且つ安定に支持して取り付けることができる。
【００４６】
図５に示す第２実施例は、支持部材２'の上方調整溝２２の位置が側方にせり出した形状であり、取付対象面が、木造躯体６Ａ'の上に、木毛セメント板等の下地材６Ｂ、防水シート６Ｃが敷設されて下地を構成し、該下地の上に略均一厚みを有する外装材７'を段葺き状に敷設して施工されている。また、既設屋根を構成する外装材７'の表面を金属材７Ｂにて覆っている。
【００４７】
さらに、前記持出部材３'としては、前記既設屋根に固定する第１部材３Ｄと、前記第１部材３Ｄの表面側の全外周を覆う第２部材３Ｅと、前記第１部材３Ｄ及び前記第２部材３Ｅを連結するナット３ｆとからなる。
前記第１部材３Ｄは、屋根面に防水材を介して固定する固定部と該固定部に立設した縦杆３３とを備え、前記縦杆３３は、ボルト材である。
前記第２部材３は、平面視円形状（略ハット形状）に形成され、前記第１部材３Ｄを覆う被覆部の外側に屋根面に防水材を介して接地させる接地部を周設し、前記被覆部には前記縦杆３３を挿通させる挿通孔を設けている。
前記第３部材３ｆは、前記第１部材３Ｄの前記縦杆３３に取り付けて締着することにより、前記第２部材３Ｅを屋根面に圧着する部材であって、前記縦杆（ボルト材）３３に螺合するナットである。
この第３部材３ｆであるナットを締め付けることにより、前記第２部材３Ｅを既設屋根に圧着することができ、上方へ向かう縦杆３３を立設することができる。
それ以外の構成は、前記第１実施例とほとんど同様であるから、図面に同一符号を付して説明を省略する。
【００４８】
さらに、この第２実施例では、外設部材１を取り付けるための取付具は、流れ方向に隣接する太陽電池パネル１，１の上端を押さえる押さえ部材８と、その裏面に配される断面逆Ｕ字状のピース材５'であり、前記支持部材２'の上方調整溝２２に保持される第２棒状材２ｂであるボルトにこれらのピース材５'及び押さえ部材８を挿通させ、その先端に第２締着具２ｄであるナットを取り付けて締め付ける。それによって、前記支持部材２'にピース材５'及び押さえ部材８を一体的に固定して押さえ部材８にて流れ方向に隣接する太陽電池パネル１，１の上端を押さえることができると共に、第２棒状材２ｂの頭部を上方調整溝２２の所定位置に係止させることができる。
【００４９】
この第２実施例では、前記第１実施例に比べて簡易構成のピース材５'を用いてほぼ同様の効果を得ることができ、押さえ部材８の取り付けもより簡単に行うことができる。
【００５０】
また、この第２実施例では、既設屋根を構成する外装材７'の表面を金属材７Ｂにて覆い、この金属材７Ｂに持出部材３'を固定して取付対象面としたので、金属材７Ｂにより強度の向上が図れ、外装材７'の割れが生じにくく、また仮に外装材７'に割れが生じても漏水を生じないので防水効果が著しく高いものとなる。
【符号の説明】
【００５１】
１  外設部材（太陽電池パネル）
１２Ａ〜１２Ｄ  フレーム
２，２'  支持部材
２１  側方調整溝
２２  上方調整溝
２ａ  第１棒状材
２ｂ  第２棒状材
２ｃ  第１締着具
２ｄ  第２締着具
３，３'  持出部材
４  連結材
４１  横片
４２  縦片
５  横支持材
６Ａ  躯体
６Ｂ  下地材
７，７'  外装材
７Ｂ  金属材
８  押さえ部材
９  接続ボルト
【図１】
2014088763.tif 000003
【図２】
2014088763.tif 000004
【図３】
2014088763.tif 000005
【図４】
2014088763.tif 000006
【図５】
2014088763.tif 000007